(57)【要約】【課題】  予め光ディスクのキズ、汚れ等の量を検出して、検出された光ディスクのキズ、汚れ等の量に対応してサーボゲインを調整し、情報データの再生が途切れることなく光ディスクに記録された情報データを再生することができるようにする。【解決手段】  光ピックアップを光ディスクの再生アドレスに移動させ、トラッキングサーボをオフにして、光ディスクを１回転させて反射光のレベル変化を検出し、検出された光ディスクの再生アドレスに対するキズ検知データを記憶して、記憶されている光ディスクの再生アドレスに対するキズ検知データに基づいてトラッキングサーボゲインを調整し、光ディスクに記録された情報データを読み出して、読み出された情報データを蓄積し、蓄積された情報データを順次再生するようにする。【選択図】        図３
2006302405.tif 000002
【特許請求の範囲】
【請求項１】
ＤＶＤ等の光ディスクに記録された情報データを再生するディスク再生装置であって、
光ピックアップを光ディスクの再生アドレスに移動させ、トラッキングサーボをオフにして、光ディスクを１回転させて反射光のレベル変化を検出する検出手段と、前記検出手段により検出された光ディスクの再生アドレスに対するキズ検知データを記憶する記憶手段と、前記記憶手段に記憶されている光ディスクの再生アドレスに対するキズ検知データに基づいてトラッキングサーボゲインを調整し、光ディスクに記録された情報データを少なくとも２倍速以上の読み出し速度で読み出す読出手段と、前記読出手段により読み出された情報データを蓄積する蓄積手段と、前記蓄積手段に蓄積された情報データを順次再生する再生手段とを備えたことを特徴とするディスク再生装置。
【請求項２】
ＤＶＤ等の光ディスクに記録された情報データを再生するディスク再生装置であって、
光ピックアップを光ディスクの再生アドレスに移動させ、トラッキングサーボをオフにして、光ディスクを１回転させて反射光のレベル変化を検出する検出手段と、前記検出手段により検出された光ディスクの再生アドレスに対するキズ検知データを記憶する記憶手段と、前記記憶手段に記憶されている光ディスクの再生アドレスに対するキズ検知データに基づいてトラッキングサーボゲインを調整し、光ディスクに記録された情報データを読み出す読出手段と、前記読出手段により読み出された情報データを蓄積する蓄積手段と、前記蓄積手段に蓄積された情報データを順次再生する再生手段とを備えたことを特徴とするディスク再生装置。
【請求項３】
前記読出手段は、光ディスクに記録された情報データを少なくとも２倍速以上の読み出し速度で読み出す読出手段であることを特徴とする請求項２記載のディスク再生装置。
【請求項４】
ＤＶＤ等の光ディスクに記録された情報データを再生するディスク再生方法であって、
光ピックアップを再生アドレスに移動させ、トラッキングサーボをオフにして、光ディスクを１回転させて反射光のレベル変化を検出するステップと、検出された光ディスクの再生アドレスに対するキズ検知データを記憶するステップと、記憶されている光ディスクの再生アドレスに対するキズ検知データに基づいてトラッキングサーボゲインを調整し、光ディスクに記録された情報データを少なくとも２倍速以上の読み出し速度で読み出すステップと、読み出された情報データを蓄積するステップと、蓄積された情報データを順次再生するステップとを備えたことを特徴とするディスク再生方法。
【発明の詳細な説明】
【技術分野】
【０００１】
本発明は、ＤＶＤ（Ｄｉｇｉｔａｌ  Ｖｅｒｓａｔｉｌｅ  Ｄｉｓｋ）等の光ディスクに記録された情報データを再生するディスク再生装置及びディスク再生方法に係り、特にキズが所定量より多い光ディスクであっても再生品質を向上させることができるディスク再生装置及びディスク再生方法に関する。
【背景技術】
【０００２】
従来、光ディスクにキズがあると、光ディスクに照射したレーザ光の反射光が散乱されて、光ディスクからのレーザ光の反射光の光強度が異常状態になり、光ピックアップのトラッキングが外れたりして、光ディスクに記録された情報データを正常に再生できなくなるため、光ディスクのキズ等に起因して光ピックアップのトラッキングが外れたとき、トラッキングサーボ信号をホールドさせて、キズ等による光ディスクの再生品質の劣化を防止するようにしている。しかし、光ディスクのキズ等の検知感度を上げると、光ディスクの僅かな汚れ等が検出され、光ピックアップのトラッキング信号がホールドされるため、光ディスクに記録された情報データを正常に読み出すことができなくなり、光ディスクの再生品質が低下するという問題点があった。
背景技術としては、再生中に絶対番地の不連続状態が検出されたとき、光ビームが隣接する他の情報トラックに移動したと判別して、光ビームが元の情報トラックに復帰するまでの間、サーボゲインを所定量だけ下げて光ピックアップを元の情報トラックに移動させるようにしたものがあった（例えば、特許文献１参照）。
また、再生信号レベルの高域信号を所定値と比較して時間幅を検出し、検出された時間幅に基づいて再生信号レベルの所定値との比較結果と再生信号レベルの高域信号の所定値との比較結果とを切り換えて欠陥を検出したとき、欠陥を検出する前の値に各サーボループをホールドするようにしたものがあった（例えば、特許文献２参照）。
また、記録媒体からの再生信号の品位を計測した信号を所定長毎に複数に分割してデータ毎に計測値の異常を検出し、光ディスクからの反射光量の変化から再生信号の異常を検知して、検知された異常データを除外して記録再生系のパラメータを調整するようにしたものがあった（例えば、特許文献３参照）。
また、光ピックアップの読出信号に基づいてトラックのキズを検出し、同一トラック位置情報の繰り返し連続性を検知して、トラックのキズと同一トラック位置情報の連続性とが一緒に検出されたとき、トラック飛び越しを指令してロックドループから脱出させるようにしたものがあった（例えば、特許文献４参照）。
【特許文献１】特開平８−２２１８８４号公報
【特許文献２】特開平９−２９３２４１号公報
【特許文献３】特開２００３−３３８０４７号公報
【特許文献４】特開平７−９８８７１号公報
【発明の開示】
【発明が解決しようとする課題】
【０００３】
しかしながら、背景技術で述べたもののうち最初のものにおいては、再生中に絶対番地の不連続状態が検出されたとき、光ビームが隣接する他の情報トラックに移動したと判別して、光ビームが元の情報トラックに復帰するまでの間、サーボゲインを所定量だけ下げて光ピックアップを元の情報トラックに移動させることができたが、再生中に、光ディスクのキズ等の影響により光ビームが隣接した他の情報トラックに移動したとき、その都度、サーボゲインを所定量だけ下げて光ピックアップを元の情報トラックに移動させなければならないという問題点があった。
また、再生信号レベルの高域信号を所定値と比較して時間幅を検出し、検出された時間幅に基づいて再生信号レベルの所定値との比較結果と再生信号レベルの高域信号の所定値との比較結果とを切り換えて欠陥を検出したとき、欠陥を検出する前の値に各サーボループをホールドすることができたが、再生中に、光ディスクのキズ、汚れ等が検出されたとき、それらによる光ディスクからの反射光の程度によりサーボのオン／オフを制御して光ディスクを再生しなければならないという問題点があった。
また、更にその次のものにおいては、記録媒体からの再生信号の品位を計測した信号を所定長毎に複数に分割してデータ毎に計測値の異常を検出し、光ディスクからの反射光量の変化から再生信号の異常を検知して、検知された異常データを除外して記録再生系のパラメータを調整することができたが、再生データの読み取り時に、光ディスクのキズ、汚れ等に起因して再生信号の品質が低下したとき、再生データの異常が発生しないように記録再生系のパラメータを調整しなければならないという問題点があった。
また、次のものにおいては、光ピックアップの読出信号に基づいてトラックのキズを検出し、同一トラック位置情報の繰り返し連続性を検知して、トラックのキズと同一トラック位置情報の連続性とが一緒に検出されたとき、トラック飛び越しを指令してロックドループから脱出させることができたが、光ディスクのキズの影響により同一トラックを繰り返してトレースして、トラッキングエラー信号をミュートまたはホールドするだけで飛び越せないときに、そこから脱出させるようにしたものであって、上記問題点を解決するようにしたものではなかった。
また、次のものにおいては、光ピックアップの読出信号に基づいてトラックのキズを検出し、同一トラック位置情報の繰り返し連続性を検知して、トラックのキズと動位置トラック位置情報の連続性とが一緒に検出されたとき、トラック飛び越しを指令してロックドループから脱出させることができたが、光ディスクのキズの影響により同一トラックを繰り返してトレースして、トラッキングエラー信号をミュートまたはホールドするだけで飛び越せないときに、そこから脱出させるようにしたものであって、上記問題点を解決するようにしたものではなかった。
本発明は、背景技術の有するこのような問題点に鑑みてなされたものであり、その目的とするところは、予め光ディスクのキズ、汚れ等の量を検出して、検出された光ディスクのキズ、汚れ等の量に対応してサーボゲインを調整し、情報データの再生が途切れることなく光ディスクに記録された情報データを再生することができるディスク再生装置を提供しようとするものである。
【課題を解決するための手段】
【０００４】
上記目的を達成するため本発明においては、ＤＶＤ等の光ディスクに記録された情報データを再生するディスク再生装置であって、
光ピックアップを光ディスクの再生アドレスに移動させ、トラッキングサーボをオフにして、光ディスクを１回転させて反射光のレベル変化を検出する検出手段と、前記検出手段により検出された光ディスクの再生アドレスに対するキズ検知データを記憶する記憶手段と、前記記憶手段に記憶されている光ディスクの再生アドレスに対するキズ検知データに基づいてトラッキングサーボゲインを調整し、光ディスクに記録された情報データを読み出す読出手段と、前記読出手段により読み出された情報データを蓄積する蓄積手段と、前記蓄積手段に蓄積された情報データを順次再生する再生手段とを備える。
前記読出手段は、光ディスクに記録された情報データを少なくとも２倍速以上の読み出し速度で読み出すようにするとよい。
これらの手段により、予め光ディスクのキズ、汚れ等の量を検出して、検出された光ディスクのキズ、汚れ等の量に対応してサーボゲインを調整し、情報データの再生が途切れることなく光ディスクに記録された情報データを再生することができる。
【発明の効果】
【０００５】
請求項１記載の発明に係るディスク再生装置によれば、光ピックアップを光ディスクの再生アドレスに移動させ、トラッキングサーボをオフにして、光ディスクを１回転させて反射光のレベル変化を検出し、検出された光ディスクの再生アドレスに対するキズ検知データを記憶して、記憶されている光ディスクの再生アドレスに対するキズ検知データに基づいてトラッキングサーボゲインを調整し、光ディスクに記録された情報データを少なくとも２倍速以上の読み出し速度で読み出して、読み出された情報データを蓄積し、蓄積された情報データを順次再生するようにしているので、予め光ディスクのキズ、汚れ等の量を検出して、検出された光ディスクのキズ、汚れ等の量に対応してサーボゲインを調整し、情報データの再生が途切れることなく光ディスクに記録された情報データを再生することができる。
請求項２記載の発明に係るディスク再生装置によれば、光ピックアップを光ディスクの再生アドレスに移動させ、トラッキングサーボをオフにして、光ディスクを１回転させて反射光のレベル変化を検出し、検出された光ディスクの再生アドレスに対するキズ検知データを記憶して、記憶されている光ディスクの再生アドレスに対するキズ検知データに基づいてトラッキングサーボゲインを調整し、光ディスクに記録された情報データを読み出して、読み出された情報データを蓄積し、蓄積された情報データを順次再生するようにしているので、予め光ディスクのキズ、汚れ等の量を検出して、検出された光ディスクのキズ、汚れ等の量に対応してサーボゲインを調整し、情報データの再生が途切れることなく光ディスクに記録された情報データを再生することができる。
請求項３記載の発明に係るディスク再生装置によれば、光ディスクに記録された情報データを少なくとも２倍速以上の読み出し速度で読み出すようにしているので、予め光ディスクのキズ、汚れ等の量を検出して、情報データの再生が途切れることなく光ディスクに記録された情報データを再生することができる。
請求項４記載の発明に係るディスク再生装置によれば、光ピックアップを再生アドレスに移動させ、トラッキングサーボをオフにして、光ディスクを１回転させて反射光のレベル変化を検出し、検出された光ディスクの再生アドレスに対するキズ検知データを記憶して、記憶されている光ディスクの再生アドレスに対するキズ検知データに基づいてトラッキングサーボゲインを調整し、光ディスクに記録された情報データを少なくとも２倍速以上の読み出し速度で読み出して、読み出された情報データを蓄積し、蓄積された情報データを順次再生するようにしているので、予め光ディスクのキズ、汚れ等の量を検出して、検出された光ディスクのキズ、汚れ等の量に対応してサーボゲインを調整し、情報データの再生が途切れることなく光ディスクに記録された情報データを再生することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置の動作を示す説明図であり、図３は本発明の一実施例のディスク再生装置の動作を示すフローチャートである。
まず、図１の本発明の一実施例のディスク再生装置の構成を示すブロック図を基に説明する。
ディスク再生装置１は、光ディスク２にレーザ光を照射してその反射光を検出し、光ディスク２に記録された情報データを読み出す光ピックアップ３と、光ディスク２を回転させるスピンドルモータ４と、スピンドルモータ４の回転速度をサーボ制御するスピンドルサーボ回路５と、光ピックアップ３を光ディスク２の半径方向にスレッド移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３により検出されたトラッキング誤差信号、フォーカス誤差信号、ＲＦ信号、情報データを増幅するＲＦ増幅回路１０と、光ピックアップ３により読み出された情報データを基準クロックに基づいて同期検出して復調し、復調された情報データの誤りを訂正して、所定の圧縮方式に基づいて圧縮された情報データを伸張し、復号して情報データを再生する信号処理回路１１と、光ピックアップ３により読み出された情報データを一時的に蓄積するバッファメモリ１２と、ディスク再生装置１のシステム全体を制御するマイコン１３と、リモコン装置２０から送信された赤外線信号のリモコン信号を受信して、所定の電気信号に変換するリモコン受信部１４とで構成されている。
以上のように構成されたディスク再生装置について、以下その動作について説明する。
リモコン装置２０のキー操作により光ディスク２の再生が指令されると、マイコン１３は、スピンドルサーボ回路５に制御信号を送出して、光ディスク２を回転させ、トラッキングサーボ回路８とフォーカスサーボ回路９とに制御信号を送出して、光ピックアップ３のトラッキングとフォーカスとをサーボ制御し、スレッドサーボ回路７に制御信号を送出して、スレッドモータ６を回転させて光ピックアップ３を光ディスク２の半径方向に移動させる。
光ピックアップ３が光ディスク２の再生アドレスに移動すると、マイコン１３は、トラッキングサーボ回路８に制御信号を送出して、トラッキングサーボをオフにし、光ディスク２を１回転させて光ディスク２からの反射光のレベル変化を検出し（図２参照。なお、同図において、Ａはキズを、Ｂは汚れを、Ｃはビームスポットをそれぞれ模式的に示している）、検出されたアドレスに対するキズ検知データをマイコン１３の内蔵メモリ（図示せず）に記憶する。
光ディスク２の１回転分のキズの検知が終了すると、マイコン１３は、トラッキングサーボ回路８に制御信号を送出して、トラッキングサーボをオンにし、マイコン１３の内蔵メモリに記憶されたアドレスに対するキズ検知データに基づいてトラッキングサーボ回路８のサーボゲインを調整し、光ディスク２に記録された情報データを少なくとも２倍速以上の読み出し速度で読み出して、読み出された情報データをバッファメモリ１２に蓄積し、バッファメモリ１２に蓄積されている情報データを信号処理回路１１により再生して、再生された情報データの映像音声信号を出力する。
また、図３の本発明の一実施例のディスク再生装置の動作を示すフローチャートを基に説明する。
リモコン装置のキー操作により光ディスクの再生が指令されると、ステップＳ１からステップＳ２に進み、ステップＳ２で、光ピックアップが光ディスクの再生アドレスに移動させられ、ステップＳ３に進む。
ステップＳ３で、トラッキングサーボがオフにされて光ディスクが１回転させ、反射光のレベル変化が検出されて、アドレスに対するキズ検知データがメモリに記憶され、ステップＳ４に進む。
ステップＳ４で、光ディスクの１回転分のキズの検知が終了した否かが判断され、光ディスクの１回転分のキズの検知が終了した場合、ステップＳ５に進み、光ディスクの１回転分のキズの検知が終了していない場合、ステップＳ３に戻って、ステップＳ３からのステップを繰り返す。
ステップＳ５で、メモリに記憶されているアドレスに対するキズ検知データに基づいてトラッキングサーボゲインが調整され、光ディスクに記録された情報データが少なくとも２倍速以上の読み出し速度で読み出されて、読み出された情報データがバッファメモリに蓄積され、バッファメモリに蓄積された情報データが順次再生されて、ステップＳ６に進む。
ステップＳ６で、光ディスクの再生が終了したか否かが判断され、光ディスクの再生が終了した場合、ステップＳ７に進んで処理を終了し、光ディスクの再生が終了していない場合、ステップＳ２に戻って、ステップＳ２からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク再生装置の構成を示すブロック図である。
【図２】本発明の一実施例のディスク再生装置の動作を示す説明図である。
【図３】本発明の一実施例のディスク再生装置の動作を示すフローチャートである。
【符号の説明】
【０００８】
１  ディスク再生装置
２  光ディスク
３  光ピックアップ
４  スピンドルモータ
５  スピンドルサーボ回路
６  スレッドモータ
７  スレッドサーボ回路
８  トラッキングサーボ回路
９  フォーカスサーボ回路
１０  ＲＦ増幅回路
１１  信号処理回路
１２  バッファメモリ
１３  マイコン
１４  リモコン受信部
２０  リモコン装置
【図１】
2006302405.tif 000003
【図２】
2006302405.tif 000004
【図３】
2006302405.tif 000005